(57)【要約】【課題】  夾雑物の付着がなく、ガスの流入や発生を防ぎ、スムーズな採水ができる採水管を提供する。【解決手段】  本発明の採水管３は、汚水の汚水槽から取水する取水部４と、取水部から取水した汚水を調整槽に送水する本体管３ａとを有したもので、取水部は、本体管から延長した導水管４１に一方端が閉じた鞘管４２を装着し、かつ鞘管の開口端と導水管４１に対して略直角方向にある固定部材４３との間に汚水を流入させる制水開口部４４を設けたものである。【選択図】    図１
2009063488.tif 000002
【特許請求の範囲】
【請求項１】
導水管と、前記導水管の外周に間隙を設けて装着され一方端が開口し他方端が閉じた鞘管と、前記鞘管または前記導水管に対して略直角方向に設けた開口部材と、前記鞘管の一方端と前記開口部材との間に間隔を設けた制水開口部と、前記導水管と前記鞘管との隙間の層流部とを有したことを特徴とする採水管の採水構造。
【請求項２】
導水管と、前記導水管の外周に間隙を設けて装着され一方端が開口し他方端が閉じその閉じた端部に前記導水管を挿入する挿入孔を持つ鞘管と、前記鞘管または前記導水管に対して略直角方向に設けた開口部材と、前記導水管と前記鞘管との間に間隙を設けて装着されかつ前記開口部材に固定された第二導水管と、前記鞘管の一方端と前記開口部材との間に間隔を設けた制水開口部と、前記第二導水管と前記鞘管との隙間の層流部とを有したことを特徴とする採水管の採水構造。
【請求項３】
前記導水管は、採水管の端部または個別の管体であることを特徴とする請求項１または２記載の採水管の採水構造。
【請求項４】
前記開口部材は、汚水槽の壁または前記導水管を固定する固定部材であることを特徴とする請求項１または２記載の採水管の採水構造。
【請求項５】
前記制水開口部の間隔を、１から５ｍｍの範囲としたものであることを特徴とする請求項１または２記載の採水管の採水構造。
【請求項６】
前記制水開口部の開口部面積と、前記層流部の通水面積と、前記導水管の通水面積との比が、１：１．０〜１．２：１．０〜３．０になるようしたものであることを特徴とする請求項１または２記載の採水管の採水構造。
【請求項７】
前記鞘管の長さは、前記導水管の端部から前記汚水槽の壁または開口部材の面までの長さの１．１〜１．３倍としたものであることを特徴とする請求項１または２記載の採水管の採水構造。
【請求項８】
前記鞘管の開口部側の端部外周は、面取り部が設けられたものであることを特徴とする請求項１または２記載の採水管の採水構造。
【請求項９】
前記鞘管の面取り部は、銅または金により被覆されたものであることを特徴とする請求項８記載の採水管の採水構造。
【発明の詳細な説明】
【技術分野】
【０００１】
本発明は、汚水槽より汚水を採水して水質測定用の調整槽に送水する採水管の採水構造に関する。
【背景技術】
【０００２】
従来の採水管としては、その先端にストレーナを取り付けて夾雑物を除去し、水質測定用の調整槽に送水するものがある（例えば、特許文献１参照）。
また、採水管に金網などのフィルターを取り付けて夾雑物を除去しているものもある。
図５は汚水が貯蔵された汚水槽に採水管が取付けられた状態を示す側断面図である。汚水槽１の壁１ａに採水管３が取付けられた部分の詳細を図６に示す。図において、２は止水部材、４は取水部である。取水部４は、導水管４１とその端部に設けたフィルター４６からなる。このフィルター４６はメッシュ状の金網からなっている。
汚水槽１の汚水は、フィルター４６により夾雑物が除去され導水管４１を通過して採水管３の本体３ａから水質測定用の調整槽に送水される。
このように、従来の採水管は、メッシュ状の金網を取り付けて汚水中の夾雑部を取り除いている。
【特許文献１】特公平６−５０３０９号公報
【発明の開示】
【発明が解決しようとする課題】
【０００３】
従来の採水管は、汚水内の夾雑物を取り除くためにメッシュ状の金網を取り付ける構造となっているため、ゴミが金網に付着蓄積し、採水ができないという問題があった。
また、夾雑物が付着すると、管内流れが乱流になるため、ガスの流入や発生が起こりスムーズな流れにならず小径の採水管では流量が不足することもある。
本発明はこのような問題点に鑑みてなされたものであり、夾雑物の付着を防ぐことができ、ガスの流入や発生のない、スムーズな採水ができる採水管を提供することを目的とする。
【課題を解決するための手段】
【０００４】
上記問題を解決するため、本発明は、次のように構成したものである。
請求項１に記載の発明は、導水管と、前記導水管の外周に間隙を設けて装着され一方端が開口し他方端が閉じた鞘管と、前記鞘管または前記導水管に対して略直角方向に設けた開口部材とを有し、前記導水管の外周に鞘管が間隙を設けて装着され、前記鞘管の一方端と前記開口部材との間に小さい間隔を設けた制水開口部から汚水を流入させ、前記導水管と前記鞘管との隙間で構成される層流部により前記汚水の流れを層流にするようにしたものである。
請求項２に記載の発明は、導水管と、前記導水管の外周に間隙を設けて装着され一方端が開口し他方端が閉じその部分に前記導水管を挿入する挿入孔を持つ鞘管と、前記鞘管または前記導水管に対して略直角方向に設けた開口部材と、前記導水管と前記鞘管との間に前記開口部材に固定された第二導水管とを有し、前記第二導水管に前記導水管が挿入され、前記鞘管の一方端と前記開口部材との間に小さい間隔を設けた制水開口部から汚水を流入させ、前記第二導水管と前記鞘管との隙間で構成される層流部により前記汚水の流れを層流にするようにしたものである。
請求項３に記載の発明は、前記導水管が、採水管の端部または個別の管体である。
請求項４に記載の発明は、前記開口部材が、汚水槽の壁または前記導水管を固定する固定部材である。
請求項５に記載の発明は、前記制水開口部の間隔を、１から５ｍｍの範囲としたものである。
請求項６に記載の発明は、前記制水開口部の開口部面積と、前記層流部の通水面積と、前記導水管の通水面積との比が、１：１．０〜１．２：１．０〜３．０になるようしたものである。
請求項７に記載の発明は、前記鞘管の長さを、前記導水管の端部から前記汚水槽の壁または開口部材の面までの長さの１．１〜１．３倍としたものである。
請求項８に記載の発明は、前記鞘管の開口部側の端部外周に、面取り部を設けているものである。
請求項９に記載の発明は、前記鞘管の面取り部は、銅または金により被覆したものである。
【発明の効果】
【０００５】
請求項１、３、４に記載の発明によれば、制水開口部を設けたことにより、流水の静止部ができるため、夾雑部の流入を防ぎ、夾雑物が付着しないようになる。
導水管内の流れを層流にすることのより、空気の流入や放出がなくなる。また、
請求項２に記載の発明によれば、導水管と鞘管との間に開口部材に固定された第二導水管を設けたので、汚水槽の壁に採水管を設置する孔を設ける必要がなく、汚水槽の内部に採水管を設置できる。
請求項５に記載の発明によれば、制水開口部の間隔を特定したので、夾雑物が詰まりにくくなる。
請求項６に記載の発明によれば、制水開口部面積、層流部の通水面積、導水管の通水面積との比を特定したので、管内が層流になるため、ガスの流入や発生を防ぐことができる。
請求項７に記載の発明によれば、鞘管の長さを特定したので、流入する夾雑物の混入を大幅に制限することができる。
請求項８、９に記載の発明によれば、面取り部を設けたので流れがスムーズになり、汚泥や夾雑物が付着しにくくなる。
【発明を実施するための最良の形態】
【０００６】
以下、本発明の実施の形態について図を参照して説明する。
【実施例１】
【０００７】
本発明の実施例１を図１に示す。図１は採水管の側断面図である。図において、取水部４は、導水管４１、鞘管４２、固定部材４３、制水開口部４４、取付ねじ４５からなっている。  図２は制水開口部４４の詳細を示す部分拡大断面図である。
本発明が従来技術と異なる部分は、鞘管４２と制水開口部４４を備えた点である。
【０００８】
鞘管４２は、取水口にて導水管４１をカバーするように取り付けられ、取付ねじ４５によって制水開口部４４の幅を調整できる構造となっている。そして制水開口部４４、すなわち、壁１ａに固定している固定部材４３と鞘管４２の端部の距離を１〜５ｍｍに設定している。さらに、導水管４１の長さＬｄに対する鞘管の長さＬｓの比が、１．１〜１．３倍になるようにしている。このような構造にすることにより、採水管へ流入する夾雑物の混入を大幅に制限することができる。
また、導水管４１内は層流となるように、制水開口部４４の開口部面積と、層流部４１ａの通水面積と、導水管４１の通水面積との比を、１：１．０〜１．２：１．０〜３．０になるようしている。これらの比率は種々の実験により得られたものでありこの範囲であれば、管内が層流になるため、ガスの流入や発生を防ぐことができる。しかし、これらの比率の範囲を外れると層流部４１や導水管４１内が乱流になったり、制水開口部４４が閉塞状態になり取水が困難になったりする。
また、導水管４１の長さＬｄに対する鞘管の長さＬｓの比が、１．１〜１．３倍になるようにしている。このような構造にすることにより、採水管へ流入する夾雑物の混入を大幅に制限することができる。これは図２に示すように、汚水の流れが制水開口部４４では鉛直方向であるが、層流部４１ａでは水平方向に直角に変化（図中の矢印）しておりこのため、流速が急に遅くなるので夾雑物の付着が起こりにくくなるものと考えられる。また、上記の長さ比が１以下では、必要な採水量が得られず、１．３以上では夾雑物が層流部４１ａに混入したり、詰まったりするので好ましくない。
【実施例２】
【０００９】
図３は、本発明の実施例２を示す鞘管４２の拡大断面図である。本実施例では鞘管４２の開口部側は、端部の外側の角を切削加工して、面取り部（図中のＢ部）を設けている。そして鞘管の面取り部には、銅または金のめっきにより被覆してある。
面取り部を設けたので流れがスムーズになり、汚泥や夾雑物が付着しにくくなる。
本実施例が実施例１と異なる部分は、面取り部を設けた点である。
【実施例３】
【００１０】
図４は、本発明の実施例３を示す採水構造の側断面図である。図において、４１１は第二導水管である。本実施例は、第二導水管４１１の一方端を溶接により固定した固定部材４３を、汚水槽の内壁に取り付け、第二導水管４１１より直径が大きく一方端が閉じた鞘管４２を他方端の開口部から挿入し、さらに鞘管４２の一方端に設けた挿入孔から導水管４１を挿入して組み立てたものである。
制水開口部４４は実施例１と同じく鞘管４２と固定部材４３とで構成されており、層流部は鞘管４２と第二導水管とで構成されている。
このよう汚水槽の内部に取水部を設ける構造にすることにより、実施例１の効果の他に汚水槽の壁に採水管を設置する孔を設ける必要がなくなり、短期間に採水管を設置できる効果もある。
【図面の簡単な説明】
【００１１】
【図１】本発明の実施例１を示す採水管の側断面図
【図２】図１の部分拡大側断面図
【図３】本発明の実施例２を示す鞘管の拡大断面図
【図４】本発明の実施例３を示す採水構造の側断面図
【図５】従来の採水管が設置された汚水槽の側断面図
【図６】従来の採水管を示す側断面図
【符号の説明】
【００１２】
１  汚水槽
１ａ  壁
２  止水部材
３  採水管
４  取水部
４１  導水管
４１１  第二導水管
４２  鞘管
４３  固定部材
４４  開口部
４５  取付ねじ
４６  フィルター
【図１】
2009063488.tif 000003
【図２】
2009063488.tif 000004
【図３】
2009063488.tif 000005
【図４】
2009063488.tif 000006
【図５】
2009063488.tif 000007
【図６】
2009063488.tif 000008